(57)【要約】      （修正有）【課題】保護対象物を貫通孔へ通すための分割部による隙間から雑草が生えることを防止しつつ、運搬や設置が容易な防草マットを提供する。【解決手段】防草マット１０は、地面から起立した保護対象物であるガードレールの支柱Ｐを位置させる挿通孔２１１が形成されたシート状のマット本体２１０に、マット本体の外側縁部２１２から挿通孔２１１に至るまで、分割部２１３が形成されている。また、分割部により分割された両側に、一対の締付用孔２１４ａ，２１４ｂが形成されている。この締付用孔に、紐状体である結束バンド３０を通して締め付けることで、しっかりと分割部の間の隙間を塞ぐことができる。【選択図】図１
0003200090.tif 000002
【実用新案登録請求の範囲】
【請求項１】
地面から起立した保護対象物を位置させる挿通孔が形成されたシート状のマット本体に、前記マット本体の外側縁部から前記挿通孔に至るまで、分割部が形成されている共に、前記分割部により分割された両側に、紐状体を通して締め付けるための一対の締付用孔が形成された防草マット。
【請求項２】
前記締付用孔は、前記マット本体の中央部からマット本体の外側縁部までの間で、前記外側縁部側に寄せて形成されている請求項１記載の防草マット。
【請求項３】
前記マット本体の少なくともおもて面には、前記締付用孔の間に前記紐状体が配置される経路に沿って前記紐状体を収容する溝が形成された請求項１または２記載の防草マット。
【請求項４】
前記マット本体のおもて面は、前記挿通孔から前記マット本体の外側縁部に向かって下り傾斜に形成された請求項１から３のいずれかの項に記載の防草マット。
【請求項５】
前記マット本体のうら面側に、凹部による薄肉部が形成された請求項１から４のいずれかの項に記載の防草マット。
【請求項６】
前記凹部は、前記マット本体の外側縁部側から前記挿通孔へ向かって厚みが薄くなる階段状に形成された請求項５記載の防草マット。
【請求項７】
前記挿通孔の内周面と、前記分割部による前記マット本体の断面と、前記締付用孔の内周面とが、前記マット本体のおもて面およびうら面に直交するように形成されている請求項１または２記載の防草マット。
【請求項８】
前記紐状体は、バンドの一端に、前記バンドを通して固定する固定部を備えた結束バンドにより形成された請求項１から７のいずれかの項に記載の防草マット。
【考案の詳細な説明】
【技術分野】
【０００１】
本考案は、道路脇に設けられたガードレールの支柱や、道路標識、樹木などの保護対象物の根本周囲の雑草の発生を防止する防草マットに関するものである。
【背景技術】
【０００２】
道路脇には、雑草が生い茂るため、雑草の除去が定期的に行われる。しかし、道路脇に設けられたガードレールの支柱や、道路標識、樹木などの保護対象物に生えた雑草を、草刈機によって刈り取るときに、ガードレールの支柱や道路標識に誤って接触すると、草刈機の刃先が折れ、飛散するおそれがある。また、草刈機の刃先が樹木に接触したときには、樹木に切削してしまい傷付ける。
そこで、保護対象物の周囲に雑草が繁殖することを防止する防草マットが知られている（例えば、特許文献１，２参照。）。
【０００３】
特許文献１に記載の「雑草防止用遮光カバー」は、中央部に幹の貫通孔を開設して貫通孔の周囲に多数の端辺を形成し、貫通孔から外周部に至る切断線を設けて切断線を介して一方側に接続片を固設し、他方側に接続片の先端を挿通するに足りる掛止穴を形成し、外周部の所要の位置に複数個の止め金具の打込孔を開設したものである。
【０００４】
また、特許文献２に記載の「草止め板」は、薄板円錐状に形成され、中央に支柱貫通用の開口が設けられている共に、外周から内周にわたって１本の分割線が設けられ、更に、分割線で分割された両辺間をボルトとナットとにより強固に締め付けたものである。
【先行技術文献】
【特許文献】
【０００５】
【特許文献１】特開平１１−２１８３３号公報
【特許文献２】実開昭５４−１６０６４４号公報
【考案の概要】
【考案が解決しようとする課題】
【０００６】
特許文献１に記載の「雑草防止用遮光カバー」は、止め金具の先端を、掛止孔に引っ掛けて止めているだけなので、切断線による隙間から雑草が生えるおそれがある。
【０００７】
その点、特許文献２に記載の「草止め板」では、ボルトとナットとで、分割線により分割された両辺間を締め付けているため、両辺間の隙間をしっかりと塞ぐことができる。
しかし、ボルト取付突起を円錐面から突出させているため、「草止め板」を重ねると嵩張ってしまう。
【０００８】
例えば、高速道路には、長距離に及んで道路に沿ってガードレールが設置されていたり、樹木が立ち並んでいたりする。そのため、防草マットを設置するには数多く必要となる。特許文献１に記載の「草止め板」では、積み重ねると、ボルト取付突起により「草止め板」と「草止め板」との間に無駄な空間ができ、嵩張ってしまうため、運搬し難い。
また、特許文献１に記載の「草止め板」を設置して、分割線で分割された両辺間を締め付けにボルトとナットを使用しているため、ナットへのボルトの締め付けに工具が必要である。従って、「草止め板」の設置に手間を要する。
【０００９】
そこで本考案は、保護対象物を貫通孔へ通すための分割部による隙間から雑草が生えることを防止しつつ、運搬や設置が容易な防草マットを提供することを目的とする。
【課題を解決するための手段】
【００１０】
本考案の防草マットは、地面から起立した保護対象物を位置させる挿通孔が形成されたシート状のマット本体に、前記マット本体の外側縁部から前記挿通孔に至るまで、分割部が形成されている共に、前記分割部により分割された両側に、紐状体を通して締め付けるための一対の締付用孔が形成されたことを特徴とする。
【００１１】
本考案の防草マットによれば、締付用孔に紐状体を通して、マット本体の分割部を締め付け、分割部による隙間が無いようにするため、保護対象物を挿通孔へ通すための分割部による隙間から雑草が生えることを防止することができる。また、本考案の防草マットは、締付用孔に紐状体を通して締め付けるため、ボルトとナットで締め付けるための突起などが不要である。従って、本考案の防草マットは、マット本体をシート状に形成することができるため、積み重ねても嵩張らない。
【００１２】
前記締付用孔は、前記マット本体の中央部からマット本体の外側縁部までの間で、前記外側縁部側に寄せて形成されていることが望ましい。締付用孔が外側縁部側に寄せて形成されていることにより、挿通孔の大きさが大きくなったり、挿通孔の位置が、マット本体の中央部から外側に寄っていたりしても、締付用孔を形成する位置を変更しなくてもよい。
【００１３】
前記マット本体の少なくともおもて面には、前記締付用孔の間に前記紐状体が配置される経路に沿って前記紐状体を収容する溝が形成されていることが望ましい。溝に紐状体が収容されて、おもて面から紐状体が突出しないため、万が一に、マット本体上を何かが走行しても、紐状体と接触して擦れることがない。従って、紐状体を保護することができる。
【００１４】
前記マット本体のおもて面は、前記挿通孔から前記マット本体の外側縁部に向かって下り傾斜に形成されていることが望ましい。雨が降っても、マット本体上に降った雨は、中央部から外側縁部に向かって下り傾斜に形成されたおもて面を伝わって流れるため、マット本体上に雨が溜まることを防止することができる。
【００１５】
前記マット本体のうら面側に、凹部による薄肉部が形成されていることが望ましい。マット本体のうら面側に凹部による薄肉部が形成されていることで、マット本体の重量を軽減することができると共に、マット本体を成形するゴム材料の使用量を削減することができる。
【００１６】
前記凹部は、前記マット本体の外側縁部側から前記挿通孔へ向かって厚みが薄くなる階段状に形成されていることが望ましい。
【００１７】
前記挿通孔の内周面と、前記分割部による前記マット本体の断面と、前記締付用孔の内周面とが、前記マット本体のおもて面およびうら面に直交するように形成されていることが望ましい。このようにマット本体を形成することで、シート状のマット本体に上下を無くすことができ、おもて面およびうら面の区別を無くすことができる。従って、作業者は、マット本体を天地反転して設置してもよいため、マット本体の運搬時や設置時に、マット本体の表裏を気にせずに作業することができる。
【００１８】
前記紐状体は、バンドの一端に、前記バンドを通して固定する固定部を備えた結束バンドにより形成されていることが望ましい。そうすることで、分割部を簡単に締め付けることができ、バンドを締め付けた位置で固定部により固定することができる。
【考案の効果】
【００１９】
本考案の防草マットは、紐状体によりマット本体の分割部を締め付けるため、しっかりと分割部による隙間を塞ぐことができ、シート状のものからマット本体を形成することができるので積み重ねても嵩張らない。従って、本考案の防草マットは、保護対象物を挿通孔へ通すための分割部による隙間から雑草が生えることを防止することを防止しつつ、運搬や設置が容易である。
【図面の簡単な説明】
【００２０】
【図１】本考案の実施の形態１に係る防草マットを保護対象物の周囲に設置した状態の図であり、（Ａ）は斜視図、（Ｂ）は（Ａ）の断面図である。
【図２】図１に示す防草マットのマット本体を説明するための図であり、（Ａ）は平面図、（Ｂ）は（Ａ）のＡ−Ａ線断面図である。
【図３】図１に示す防草マットの結束バンドを説明するための図である。
【図４】図２に示すマット本体の変形例を説明するための図であり、（Ａ）は直径が太い保護対象物の周囲に設置されるマット本体の平面図であり、（Ｂ）は挿通孔が中央部から偏った位置に形成されたマット本体の平面図であり、（Ｃ）は直径が細い保護対象物の周囲に設置されるマット本体の平面図である。
【図５】本考案の実施の形態２に係る防草マットを説明するための図であり、（Ａ）は平面図、（Ｂ）は（Ａ）のＢ−Ｂ線断面図、（Ｃ）は底面図である。
【考案を実施するための形態】
【００２１】
（実施の形態１）
本考案の実施の形態１に係る防草マットを図面に基づいて説明する。
図１（Ａ）および同図（Ｂ）に示す防草マット１０は、道路脇に設けられたガードレールの支柱や、道路標識、樹木など、地面から起立した保護対象物の根本周囲の雑草の発生を防止するものである。防草マット１０は、マット本体２１０と、結束バンド３０（図３参照）とを備えている。図１に示す保護対象物はガードレールの支柱Ｐである。
【００２２】
図２（Ａ）および同図（Ｂ）に示すように、マット本体２１０は、軟質のゴムによるシート状に形成されている。本実施の形態１に係るマット本体２１０では、厚みが均一な矩形板状に形成されている。マット本体２１０は、支柱Ｐを位置させる貫通孔である挿通孔２１１が中央部に形成されている。
挿通孔２１１は、支柱Ｐの直径に合わせた円形状に形成されている。マット本体２１０は、マット本体２１０を、挿通孔２１１を中心とした無端状から、一方の端部２１０ａと他方の端部２１０ｂとを形成するように、マット本体２１０の外側縁部２１２から挿通孔２１１に至るまでに分割部２１３が形成されている。
【００２３】
更に、マット本体２１０には、分割部２１３により分割された両側（一方の端部２１０ａ，他方の端部２１０ｂ）に、結束バンド３０を通して、一方の端部２１０ａ，他方の端部２１０ｂを引き寄せ、締め付けるための一対の締付用孔２１４（２１４ａ，２１４ｂ）が形成されている。本実施の形態１では、マット本体２１０に、２組の締付用孔２１４が形成されている。この２組の締付用孔２１４は、挿通孔２１１とマット本体２１０の外側縁部２１２との間の中心から、外側縁部２１２側に寄せて形成されている。
【００２４】
挿通孔２１１の内周面と、分割部２１３によるマット本体２１０の断面と、締付用孔２１４の内周面とは、平行なマット本体２１０のおもて面およびうら面に直交するように形成されている。
【００２５】
図３に示す結束バンド３０は、バンド３１と、バンド３１の一端に形成され、バンド３１を通して固定する固定部３２とから構成され、紐状体として機能するものである。
【００２６】
このマット本体２１０は、リング状の打ち抜き型により、一枚のゴム製のシートをプレス加工することにより、マット本体２１０の原型を作製する。そして、マット本体２１０の原型の分割部２１３に対応する位置に、切れ込みを入れて分割部２１３を形成することでマット本体２１０を作製する。打ち抜き型には、締付用孔２１４を穿孔する突起が形成されているのが望ましく、更に、分割部２１３を形成するための刃が形成されているのが望ましい。そうすることで、一回のプレス加工で一枚のゴム製のシートからマット本体２１０を作製することができる。また、打ち抜き型が複数形成された金型とすれば、一枚のゴム製のシートから多数個取りすることができる。
【００２７】
以上のように構成された本考案の実施の形態１に係る防草マットの使用状態を、図面に基づいて説明する。本実施の形態１では、図１に示すように、防草マット１０を保護対象物としてガードレールの支柱Ｐに設置する場合を説明する。
まず、防草マット１０の切れ込みである分割部２１３を開き、支柱Ｐを囲うように防草マット１０を支柱Ｐに設置する。
【００２８】
そして、例えば、結束バンド３０のバンド３１を、マット本体２１０を設置したときのうら面側（地面側）より、一方の端部２１０ａ側に形成された締付用孔２１４ａに通し、更に、他方の端部２１０ｂ側に形成された締付用孔２１４ｂにおもて面側から通す。
そして、マット本体２１０のうら面側で、バンド３１を固定部３２に通し、固定部３２から通り抜けたバンド３１を引き、輪状となったバンド３１を絞り、一方の端部２１０ａと他方の端部２１０ｂとを引き寄せて締め付ける。
【００２９】
このように、防草マット１０では、締付用孔２１４に結束バンド３０を通して、マット本体２１０の分割部２１３を締め付け、分割部２１３による隙間が無いようにするため、支柱Ｐを挿通孔２１１へ通すための分割部２１３による隙間から雑草が生えることを防止することができる。
また、防草マット１０は、分割部２１３の両側に形成された締付用孔２１４ｂに結束バンド３０を通して締め付けているため、ナットとボルトで締め付けるための突起が不要なので、マット本体２１０はシート状に形成することができる。従って、マット本体２１０を重ねて積み上げても嵩張ることがないため、運搬や設置が容易である。
【００３０】
特に、挿通孔２１１の内周面と、分割部２１３によるマット本体２１０の断面と、締付用孔２１４の内周面とが、マット本体２１０のおもて面およびうら面に直交するように形成されているため、マット本体２１０に上下が無く、おもて面およびうら面の区別が無い。従って、作業者は、マット本体２１０を天地反転して設置してもよいため、マット本体２１０の運搬時や設置時に、マット本体２１０の表裏を気にせずに作業することができる。
【００３１】
分割部２１３を締め付け紐状体として結束バンド３０を用いているため、簡単に締め付けることができ、バンド３１を締め付けた位置で固定部３２により固定することができる。
【００３２】
本実施の形態１では、矩形状のマット本体２１０の中央部に、ガードレールの支柱を位置させるための挿通孔２１１を、支柱の直径に合わせて形成していた。しかし、挿通孔２１１の大きさや、マット本体への挿通孔の形成位置は、変更することが可能である。図１に示すガードレールの支柱Ｐより太い支柱用として、挿通孔２１１（図４（Ａ）では点線にて示す。）より直径の大きい挿通孔２１１ｘがマット本体２１０ｘに形成されている。  また、図４（Ｂ）に示すように、保護対象物の周囲に障害物が有り、マット本体２１０ｙの中央部に保護対象物を位置させることができない場合には、挿通孔２１１を中央部より偏らせて配置することも可能である。ガードレールの支柱を、マット本体２１０ｙの中央部から外側に寄せて位置させる場合には、挿通孔２１１を分割部２１３の形成方向Ｆに沿って外側方向に移動させる。
【００３３】
そうした場合でも、締付用孔２１４が、マット本体２１０ｘ，２１０ｙの中央部からマット本体２１０ｘ，２１０ｙの外側縁部２１２までの間で、外側縁部２１２側に寄せて形成されているため、締付用孔２１４を形成する位置を変更しなくてもよい。
従って、マット本体２１０ｘ，２１０ｙの締付用孔２１４を穿孔する型を共通して使用することができる。
【００３４】
また、他の保護対象物でも、本考案の防草マットは適用できる。例えば、カーブの曲がり方向を示すために、支柱の先端に矢印標識が設けられた視線誘導標識や、支柱の先端に反射器が設けられた視線誘導標識、目的地や通過地からの距離を示す距離標識など、ガードレールの支柱より細い直径を有するものの周囲に防草マットを配置するときには、図４（Ｃ）に示すように、マット本体２１０ｚに形成した挿通孔２１１ｚの直径を細くしたものとする。このとき、図４（Ａ）および同図（Ｂ）でのマット本体２１０ｘ，２１０ｙの締付用孔２１４だけでなく、追加として、挿通孔２１１ｚに寄せて締付用孔２１４を形成するのが望ましい。
【００３５】
（実施の形態２）
本考案の実施の形態２に係る防草マットを、図面に基づいて説明する。なお、図５においては、図１および図２と同じ構成のものは同符号を付して説明を省略する。また、図５においては、結束バンド３０は省略している。
【００３６】
図５（Ａ）および同図（Ｂ）に示すように、防草マット１１は、実施の形態１と同様に、地面から起立した保護対象物の根本部分にマット本体２２０を配置して、結束バンド３０（図３参照）により一方の端部２１０ａと他方の端部２１０ｂとを引き寄せて締め付けることで、固定される。
マット本体２２０は、マット本体２２０の形状に形成されたキャビティを有する金型により成形することができる。
【００３７】
マット本体２２０は、円形状に形成されている。マット本体２２０は、おもて面２２０ｍが挿通孔２１１からマット本体２２０の外側縁部２２０ｓに向かって下り傾斜に形成されている。従って、雨が降っても、マット本体２２０上に降った雨は、中央部から外側縁部２２０ｓに向かって下り傾斜に形成されたおもて面２２０ｍを伝わって流れるため、マット本体２２０上に雨が溜まることを防止することができる。
【００３８】
また、防草マット１１は、マット本体２２０のおもて面２２０ｍに、締付用孔２１４（２１４ａ，２１４ｂ）の間に結束バンド３０のバンド３１が配置される経路に沿ってバンド３１を収容する溝２２１が形成されている。この溝２２１にバンド３１が収容されて、おもて面２２０ｍからバンド３１が突出しないため、万が一に、マット本体２２０上を何かが走行しても、バンド３１と接触して擦れることがない。従って、バンド３１を保護することができる。
【００３９】
更に、マット本体２２０のうら面２２０ｎ側に、凹部２２２による薄肉部２２３が形成されている。従って、マット本体２２０の重量を軽減することができると共に、マット本体２２０を成形するゴム材料の使用量を削減することができる。
また、この凹部２２２は、マット本体２２０の外側縁部２２０ｓ側から挿通孔２１１へ向かって、厚みが薄くなる階段状に形成されている。本実施の形態２では、３段階に減厚するように、凹部２２２が形成されている。
【００４０】
本実施の形態２に係るマット本体２２０では、溝２２１がおもて面２２０ｍに形成されているが、うら面２２０ｎ側の締付用孔２１４（２１４ａ，２１４ｂ）の間にも溝が形成されていてもよい。うら面２２０ｎ側に溝が形成されていることで、結束バンド３０が地面と擦れることを防止することができる。
【００４１】
なお、実施の形態１に係る防草マット１０は、輪郭形状が矩形状、実施の形態２に係る防草マット１１は、輪郭形状が円形状に形成されていたが、マット本体は三角形でも、五角形以上の多角形でもよい。また、マット本体は異型状でもよい。挿通孔２１１は円形とする以外に、矩形状でも、五角形以上の多角形でもよい。しかし、挿通孔２１１と保護対象物との隙間に雑草が発生しやすくなるため、例えば、保護対象物の外形が円形状や多角形状でなくても、保護対象物の外形に対応した形状とするのが望ましい。
【００４２】
更に、紐状体を結束バンド３０としているが、締付用孔２１４に通して分割部２１３の両側を締め付ける紐状体であればよいので、紐状体は単なる一本のロープでもよい。しかし、紐状体を結束バンド３０とすることで、安価に調達でき、バンド３１を固定部３２に通してしまえば、片手で結束バンド３０を締めることができる。そのため、紐状体は結束バンド３０とするのが望ましい。
【００４３】
また、実施の形態２に係る防草マット１１では、締付用孔２１４を挿通孔２１１側と外側縁部２１２側とに、ほぼ均等に配置しているが、挿通孔２１１の大きさや形成位置が変更になることを考慮して、図４（Ａ）および同部（Ｂ）に示すように、締付用孔２１４を外側縁部２１２側に寄せて形成してもよい。
【産業上の利用可能性】
【００４４】
本考案に係る防草マットは、保護対象物の周囲の雑草の発生を抑えることができるため、保護対象物の周囲に生長した雑草の除去が問題となる箇所への設置に好適である。特に、本考案に係る防草マットは、道路脇に設けられたガードレールの支柱や、道路標識、樹木などに設置すると、周辺の雑草の除去の際に保護すると共に、交通の安全にも寄与するため、最適である。
【符号の説明】
【００４５】
１０  防草マット
２１０  マット本体
２１０ａ  一方の端部
２１０ｂ  他方の端部
２１１，２１１ｘ，２１１ｚ  挿通孔
２１２  外側縁部
２１３  分割部
２１４，２１４ａ，２１４ｂ  締付用孔
１１  防草マット
２２０，２１０ｘ，２１０ｙ  マット本体
２２０ｓ  外側縁部
２２０ｍ  おもて面
２２０ｎ  うら面
２２１  溝
２２２  凹部
２２３  薄肉部
３０  結束バンド
３１  バンド
３２  固定部
Ｐ  支柱
【図１】
0003200090.tif 000003
【図２】
0003200090.tif 000004
【図３】
0003200090.tif 000005
【図４】
0003200090.tif 000006
【図５】
0003200090.tif 000007